(57)【特許請求の範囲】
【請求項１】
電球（１）の口金ピン（１１ａ，１１ｂ）を挟持する一対のピン受け金具（１５ａ，１５ｂ）を有する電球用ソケットであって、ソケットケース（１２）内に前後２つのピン受けホルダー（１３ａ，１３ｂ）を摺動自在に保持すると共に、これらピン受けホルダーの相対向した内側に相対して配設された一対のピン受け金具（１５ａ，１５ｂ）と、該両ピン受け金具を離反方向に弾発付勢するスプリング（１６）と、前記ピン受けホルダーを挟持方向に押圧する押えバネ（１７）と、該押えバネを起動により押圧し伏動により開放するように配設した作動レバー（１８）と、給電コードが接続される電極部（２１ａ，２１ｂ）を有し、
作動レバー（１８）を倒した状態では、両ピン受けホルダー（１３ａ，１３ｂ）が離反して電球（１）の抜き差しを自在とすると共に、上記電極部（２１ａ，２１ｂ）とピン受け金具（１５ａ，１５ｂ）が電気的に離反してピン受け金具への通電がなされない状態となり、
且つ、作動レバー（１８）を起こした状態では、両ピン受けホルダー（１３ａ，１３ｂ）が押えバネ（１７）により挟持方向へ押圧されて電球の口金ピン（１１ａ，１１ｂ）が一対のピン受け金具（１５ａ，１５ｂ）に挟持されると共に、電極部（２１ａ，２１ｂ）とピン受け金具（１５ａ，１５ｂ）が電気的に接続されてピン受け金具に通電がなされるよう形成したことを特徴とする電球用ソケット。
【請求項２】
電球（１）の口金ピン（１１ａ，１１ｂ）を挟持する一対のピン受け金具（１５ａ，１５ｂ）を有する電球用ソケットであって、ソケットケース（１２）内に前後２つのピン受けホルダー（１３ａ，１３ｂ）を摺動自在に保持すると共に、これらピン受けホルダーの相対向した内側に相対して配設された一対のピン受け金具（１５ａ，１５ｂ）と、該両ピン受け金具を離反方向に弾発付勢するスプリングと、前記ピン受けホルダーを挟持方向に押圧する押えバネ（１７）と、該押えバネを起動により押圧し伏動により開放するように配設した作動レバー（１８）と、給電コードが接続されると共に前記一対のピン受け金具の何れか一方（１５ｂ）と一体に形成された電極部（２１ａ，２１ｂ）を有し、前記口金ピン（１１ａ，１１ｂ）が電極部を備えない他方のピン受け金具（１５ａ）に差し込まれると共に、
作動レバー（１８）を倒した状態では、両ピン受けホルダー（１３ａ，１３ｂ）が離反して電球（１）の抜き差しを自在とすると共に、上記電極部を備えたピン受け金具（１５ｂ）と、口金ピンが差し込まれたピン受け金具（１５ａ）が離反して口金ピン（１１ａ，１１ｂ）への通電がなされない状態となり、
且つ、作動レバー（１８）を起こした状態では、両ピン受けホルダー（１３ａ，１３ｂ）が押えバネ（１７）により挟持方向へ押圧されて口金ピン（１１ａ，１１ｂ）が一対のピン受け金具（１５ａ，１５ｂ）に挟持されると共に、電極部を備えたピン受け金具（１５ｂ）と口金ピンが差し込まれたピン受け金具（１５ａ）が接触して口金ピン（１１ａ，１１ｂ）に通電がなされるよう形成したことを特徴とする電球用ソケット。
【請求項３】
上記電球（１）が、突出する２極の口金ピン（１１ａ，１１ｂ）を有するバイポスト型のハロゲン電球であり、上記一対のピン受け金具（１５ａ，１５ｂ）は該電球の口金ピンに対応して左右二箇所に配されている請求項１又は２記載の電球用ソケット。
【請求項４】
口金ピンを有する電球（１）と、弾発開閉機構により該電球の口金ピンを挟持する一対のピン受け金具（１５ａ，１５ｂ）を有する電球用ソケット（２）と、反射鏡（３）、レンズ（４）などの光学的部品を灯体（５）内の適所に配してなる照明装置であって、前記電球用ソケット（２）が、請求項１〜３の何れか１項記載のものである照明装置。
【発明の詳細な説明】
【０００１】
【発明の属する技術分野】
本発明は、例えば劇場の舞台やテレビスタジオ等で使用されるスポットライト等の照明装置用の電球ソケットと、この電球ソケットを内蔵した照明装置に関し、詳しくは、前記照明装置の灯体内のソケットに交換可能に装着される電球の脱着構造の改良に関する。
【０００２】
【従来の技術】
近年、照明装置の電球としてバイポスト型（２極突出型）のハロゲン電球が多用されている。また、この種ハロゲン電球を灯体内に交換可能に装着するための電球用ソケットとして、ソケットケース内に前後２つのピン受けホルダーを摺動自在に保持すると共に、これらピン受けホルダーの相対向した内側に相対して配設された一対のピン受け金具と、該ピン受け金具を離反方向に弾発付勢するスプリングと、前記ピン受けホルダーを挟持方向に押圧する押えバネと、該押えバネを起動により押圧し、伏動により開放するように配設した作動レバーを有し、作動レバーを倒した状態では両ピン受けホルダーが離反して電球の抜き差しを自在とし、作動レバーを起こした状態では両ピン受けホルダーが押えバネにより挟持方向へ押圧されて電球の口金ピンが一対のピン金具に挟持されるよう構成したものが知られている（例えば実開昭５９−２８８号公報等参照）。
【０００３】
【発明が解決しようとする課題】
上記従来の電球用ソケットによれば、電源ケーブルを抜き忘れる等によりソケットに通電している状態で電球の交換を行った場合、電球が高熱になることによる火傷や、ピン受け金具に作業者の指が触れることによる感電等が生じる虞れがある。
本発明はこのような従来事情に鑑みて成されたもので、その目的とする処は、万一、電源を抜き忘れる等によりソケットに通電している状態のままで電球の交換を行ったとしても、火傷や感電等が生じることのない安全性の高い電球用ソケットを提供することにある。
【０００４】
【課題を解決するための手段】
以上の目的を達成する為に、本発明の電球用ソケットは、請求項１では、ソケットケース（１２）内に前後２つのピン受けホルダー（１３ａ，１３ｂ）を摺動自在に保持すると共に、これらピン受けホルダーの相対向した内側に相対して配設された一対のピン受け金具（１５ａ，１５ｂ）と、該両ピン受け金具を離反方向に弾発付勢するスプリング（１６）と、前記ピン受けホルダーを挟持方向に押圧する押えバネ（１７）と、該押えバネを起動により押圧し伏動により開放するように配設した作動レバー（１８）と、給電コードが接続される電極部（２１ａ，２１ｂ）を有し、
作動レバー（１８）を倒した状態では、両ピン受けホルダー（１３ａ，１３ｂ）が離反して電球（１）の抜き差しを自在とすると共に、上記電極部（２１ａ，２１ｂ）とピン受け金具（１５ａ，１５ｂ）が電気的に離反してピン受け金具への通電がなされない状態となり、
且つ、作動レバー（１８）を起こした状態では、両ピン受けホルダー（１３ａ，１３ｂ）が押えバネ（１７）により挟持方向へ押圧されて電球の口金ピン（１１ａ，１１ｂ）が一対のピン受け金具（１５ａ，１５ｂ）に挟持されると共に、電極部（２１ａ，２１ｂ）とピン受け金具（１５ａ，１５ｂ）が電気的に接続されてピン受け金具に通電がなされるよう形成したことを特徴とする。
請求項２では、ソケットケース（１２）内に前後２つのピン受けホルダー（１３ａ，１３ｂ）を摺動自在に保持すると共に、これらピン受けホルダーの相対向した内側に相対して配設された一対のピン受け金具（１５ａ，１５ｂ）と、該両ピン受け金具を離反方向に弾発付勢するスプリングと、前記ピン受けホルダーを挟持方向に押圧する押えバネ（１７）と、該押えバネを起動により押圧し伏動により開放するように配設した作動レバー（１８）と、給電コードが接続されると共に前記一対のピン受け金具の何れか一方（１５ｂ）と一体に形成された電極部（２１ａ，２１ｂ）を有し、前記口金ピン（１１ａ，１１ｂ）が電極部を備えない他方のピン受け金具（１５ａ）に差し込まれると共に、
作動レバー（１８）を倒した状態では、両ピン受けホルダー（１３ａ，１３ｂ）が離反して電球（１）の抜き差しを自在とすると共に、上記電極部を備えたピン受け金具（１５ｂ）と、口金ピンが差し込まれたピン受け金具（１５ａ）が離反して口金ピン（１１ａ，１１ｂ）への通電がなされない状態となり、
且つ、作動レバー（１８）を起こした状態では、両ピン受けホルダー（１３ａ，１３ｂ）が押えバネ（１７）により挟持方向へ押圧されて口金ピン（１１ａ，１１ｂ）が一対のピン受け金具（１５ａ，１５ｂ）に挟持されると共に、電極部を備えたピン受け金具（１５ｂ）と口金ピンが差し込まれたピン受け金具（１５ａ）が接触して口金ピン（１１ａ，１１ｂ）に通電がなされるよう形成したことを特徴とする。
【０００５】
このような構成によれば、作動レバーを倒した状態においてはソケットに対する電球の着脱が自在であると共に、ソケットは非通電状態にある。一方、作動レバーを起こした時は電球がソケットに保持されると共に、この状態においてはじめてソケットが通電状態になる。よって、電球の着脱に際し火傷や感電の心配がない。
【０００６】
本発明において、電極部は、ピン受け金具と別体に形成する態様（請求項１）と、一対のピン受け金具の何れか一方と一体的に形成する態様（請求項２）の何れも選択することができる。
【０００７】
また本発明の請求項１又は２において、電球は特に限定されるものではないが、今日、スポットライト等の照明装置においてはバイポスト型の電球が多用されており、バイポスト型電球を使用する場合はこれに対応して、ソケットにおける一対のピン受け金具を左右二箇所に配する（請求項３）。
【０００８】
【発明の実施の形態】
以下、図面を参照して本発明に関し説明する。
図１は本発明に係る電球用ソケットとこれを内蔵した照明装置の実施形態の一例を簡略して示す断面図で、照明装置Ａは、電球１が装着されるソケット２、反射鏡３、レンズ４、これら部品を収納保持し不要光を遮光する灯体５等から構成されている。
【０００９】
電球１は照明装置で多用されるバイポスト型のハロゲン電球で、図４等に示すように、磁器等の絶縁材からなる口金１０の下面側に突出する２極の口金ピン１１a，１１ｂを有している。
【００１０】
ソケット２は上記電球１用のもので、図２〜５に示すように、ソケットケース１２内に、磁器等の絶縁材からなる前後２つのピン受けホルダー１３ａ，１３ｂを摺動自在に保持し、これらホルダー１３ａ，１３ｂはソケットケース１２の中央部に掛け渡した軸１４に遊嵌して、その軸１４に沿ってスライド可能に保持されている。
【００１１】
１５ａ，１５ｂは、夫々ピン受けホルダー１３ａ，１３ｂの相対向した内側に相対して配設された一対のピン受け金具で、本例ではバイポスト型ハロゲン電球１に対応するべく、一対のピン受け金具１５ａ，１５ｂが左右二箇所に配設されている。
【００１２】
ピン受け金具１５ａ，１５ｂは上記口金ピン１１ａ，１１ｂが摺接可能な半円状の内面を有するもので、それらの外面には不図示の突部が形成され、その突部を、ピン受けホルダー１３ａ，１３ｂに形成した不図示の窪み部に遊嵌して前後のピン受けホルダー１３ａ，１３ｂ間において摺動自在に保持されている。また一対のピン受け金具１５ａ，１５ｂはＵ字形に湾曲形成されたピン受けスプリング１６で連結されて両ピン受け金具１５ａ，１５ｂが離間する外側方向へ付勢されている。
【００１３】
１７は波形に湾曲形成された押えバネで、その押えバネ１７は軸１４の開放端側に軸支された連結ピン１８ａで回動自在に軸支された作動レバー１８の前部に配設したカラー１９とピン受けホルダー１３ｂの間に介在され、ピン受けホルダー１３ｂをピン受けホルダー１３ａに対し閉動する方向に付勢している。
【００１４】
軸１４の開放端側に作動レバー１８が連結ピン１８ａで枢着される位置は、作動レバー１８を軸１４に対し直角上向きとした時にカラー１９を介して押えバネ１７をピン受けホルダー１３ｂ方向へ押圧する一方、作動レバー１８を軸１４の軸線上に水平に倒した時に前記押圧を解除するよう形成する。これにより、作動レバー１８を起こした状態では押えバネ１７の押圧力により前後のピン受けホルダー１３ａ，１３ｂが閉動して、一対のピン受け金具１５ａ，１５ｂ間に差し込まれた口金ピン１１ａ，１１ｂが挟持される一方、作動レバー１８を倒した状態では押えバネ１７の押圧が解除され、ピン受けスプリング１６の弾発力で一対のピン受けホルダー１３ａ，１３ｂと一対のピン受け金具１５ａ，１５ｂが離間し、口金ピン１１ａ，１１ｂの抜き差しが自在となるよう形成されている。
【００１５】
又、一方のピン受けホルダー１３ａの内部には、給電コード２０ａ，２０ｂが接続された陰極側と陽極側の電極部２１ａ，２１ｂが配設されており、他方のピン受けホルダー１３ｂの内部には、左右のピン受け金具１５ｂ，１５ｂに電気的に接続している接点２２ａ，２２ｂが配設されており、それら電極部２１ａ，２１ｂと接点２２ａ，２２ｂの間には、スイッチ部材２３ａ，２３ｂが接点２２ａ，２２ｂに対して接離自在に配設されている。
【００１６】
スイッチ部材２３ａ，２３ｂは略く字形に折曲形成された金属板からなり、作動レバー１８を軸１４の軸線上に水平に倒した状態では図４に示すように電極部２１ａ，２１ｂのみに接触しており、作動レバー１８を軸１４に対し直角上向きとした状態で図２に示すように、ピン受けホルダー１３ｂ内の突部２４で押されて上端側がピン受けホルダー１３ｂ方向へ変形して接点２２ａ，２２ｂに接触するよう形成されている。これにより、作動レバー１８を倒した状態ではスイッチ部材２３ａ，２３ｂと接点２２ａ，２２ｂが離間していてピン受け金具１５ａ，１５ｂは非通電状態にあり、作動レバー１８を起こした状態ではスイッチ部材２３ａ，２３ｂと接点２２ａ，２２ｂが接触してピン受け金具１５ａ，１５ｂは通電状態になるように形成されている。
【００１７】
以上の構成により、作動レバー１８を倒した状態では、ソケット２に対する電球１の着脱が自在であると共に、ソケット２は非通電状態にあり、作動レバー１８を起こした状態で口金ピン１１ａ，１１ｂがピン受け金具１５ａ，１５ｂで挟持されて電球１が保持されると共に、ソケット２が通電状態になるので、電球１が不用意に高熱になることによる火傷や、間違ってピン受け金具１５ａ，１５ｂに作業者の指が触れてしまうことによる感電等が生じる虞れはない。
【００１８】
以下、図１〜図５で説明した構成におけるピン受け金具１５ａ，１５ｂ、電極部２１ａ，２１ｂ、接点２２ａ，２２ｂ、スイッチ部材２３ａ，２３ｂ等を変更した実施形態の他例について、その変更点を中心に図面を参照して説明し、前記実施形態と重複する説明、図示は省略する。
【００１９】
図６では、電極部２１ａ，２１ｂをピン受け金具１５ｂに一体的に設けて、接点２２ａ，２２ｂ、スイッチ部材２３ａ，２３ｂ等を不用とした例を示す。
すなわちこの例では、一対のピン受け金具１５ａ，１５ｂのうちの一方の金具１５ａに、口金ピン１１ａ，１１ｂを保持するための半円状の突環３０ａ，３０ａを設けて一方のピン受けホルダー１３ａ側に口金ピン１１ａ，１１ｂを差し込むようにし、他方のピン受けホルダー１３ｂ側に配したピン受け金具１５ｂに電極部２１ａ，２１ｂを一体に設け、さらに、ピン受けスプリング１６に代えてピン受けホルダー１３ａ，１３ｂ間に不図示のスプリングを介在させ、両ピン受け金具１５ａ，１５ｂが離間するように形成している。
【００２０】
そうして、作動レバー１８を倒した状態では押えバネ１７の押圧が解除され、不図示のスプリングの弾発力で一対のピン受けホルダー１３ａ，１３ｂと一対のピン受け金具１５ａ，１５ｂが離間し、ピン受け金具１５ａ，１５ａに対する口金ピン１１ａ，１１ｂの抜き差しが自在となると共に、ソケット２は非通電状態になる一方、作動レバー１８を起こした状態では押えバネ１７の押圧力により前後のピン受けホルダー１３ａ，１３ｂが閉動すると共に、ピン受け金具１５ａ，１５ａに差し込まれた口金ピン１１ａ，１１ｂの外周にピン受け金具１５ｂ，１５ｂが押圧して口金ピン１１ａ，１１ｂが挟持されると共に、ピン受け金具１５ａ，１５ｂが通電状態になるように形成されている。
【００２１】
よってこの例においても、前述の例と同様、電球１が不用意に高熱になることによる火傷や、間違ってピン受け金具１５ａ，１５ｂに作業者の指が触れてしまうことによる感電等が生じる虞れはない。さらにこの例では、電極部２１ａ，２１ｂをピン受け金具１５ｂ，１５ｂと一体に設けることで、接点２２ａ，２２ｂ、スイッチ部材２３ａ，２３ｂ、ピン受けスプリング１６等を不用として構成を簡素化し得る利点がある。
【００２２】
図７では、図６の変更例を示す。
すなわちこの例では、一方のピン受け金具１５ａ，１５ａに突環３０ａを設ける代わりに、その内周面を半円以上の曲面を持つと共に一部を開口１５ａ’とする略円筒形状の周面として、一方のピン受けホルダー１３ａ側に口金ピン１１ａ，１１ｂを差し込むようにしている。
又、他方のピン受けホルダー１３ｂ側に配したピン受け金具１５ｂには、電極部２１ａ，２１ｂを一体に設けると共に、前記ピン受け金具１５ａ，１５ａの開口１５ａ’に遊嵌する突部１５ｂ’を形成している。
【００２３】
そうして、作動レバー１８を倒した状態では押えバネ１７の押圧が解除され、不図示のスプリングの弾発力で一対のピン受けホルダー１３ａ，１３ｂと一対のピン受け金具１５ａ，１５ｂが離間し、ピン受け金具１５ａ，１５ａに対する口金ピン１１ａ，１１ｂの抜き差しが自在となると共に、ソケット２は非通電状態になる一方、作動レバー１８を起こした状態では押えバネ１７の押圧力により前後のピン受けホルダー１３ａ，１３ｂが閉動すると共に、ピン受け金具１５ａ，１５ａに差し込まれた口金ピン１１ａ，１１ｂの外周にピン受け金具１５ｂ，１５ｂの突部１５ｂ’が押圧して口金ピン１１ａ，１１ｂが挟持されると共に、ピン受け金具１５ａ，１５ｂが通電状態になるように形成されている。
よってこの例においても、図６の例と同様、電球１が不用意に高熱になることによる火傷や、間違ってピン受け金具１５ａ，１５ｂに作業者の指が触れてしまうことによる感電等が生じる虞れはないと共に、電極部２１ａ，２１ｂをピン受け金具１５ｂ，１５ｂと一体に設けることで、接点２２ａ，２２ｂ、スイッチ部材２３ａ，２３ｂ、ピン受けスプリング１６等を不用として構成を簡素化し得る利点がある。
【００２４】
以上、本発明の実施形態の数例を説明したが、本発明はこれら図示例に限定されるものではなく、特許請求の範囲に記載された技術的思想の範疇において種々の変更が可能であることは言うまでもない。
【００２５】
【発明の効果】
本発明に係る電球用ソケット及びこれを内蔵した照明装置は以上説明したように構成したので、作動レバーを倒さなければ電球の着脱を行うことが出来ず、作動レバーを倒した状態ではソケットは非通電状態になるので、電球の着脱に際し火傷や感電の心配がなく、安全性の高い製品を提供することができる。
また、電極部をピン受け金具と一体的に形成した場合は構造を簡素化してソケットの製作コストの低減が期待できる等の効果がある。
【図面の簡単な説明】
【図１】本発明の実施形態の一例を示す簡略断面図。
【図２】図１に示す電球用ソケットの拡大断面図。
【図３】図２に示す電球用ソケットの平面図。
【図４】図１に示す電有用ソケットの拡大断面図で、電球の脱着状態を表す。
【図５】図１に示す電球用ソケットのソケットケースを省略して示す分解斜視図。
【図６】本発明の実施形態の他例における電球用ソケットのソケットケースを省略して示す分解斜視図。
【図７】本発明の実施形態の他例における電球用ソケットのソケットケースを省略して示す分解斜視図。
【符号の説明】
Ａ：照明装置
１：電球
２：ソケット
１１ａ，１１ｂ：口金ピン
１２：ソケットケース
１３ａ，１３ｂ：ピン受けホルダー
１５ａ，１５ｂ：ピン受け金具
１８：作動レバー
２０ａ，２０ｂ：給電コード
２１ａ，２１ｂ：電極部
【図１】
0003639232.tif 000002
【図２】
0003639232.tif 000003
【図３】
0003639232.tif 000004
【図４】
0003639232.tif 000005
【図５】
0003639232.tif 000006
【図６】
0003639232.tif 000007
【図７】
0003639232.tif 000008